Podtech/llm-jp-corpus-v4-ja_patent huggingface dataset:
(57)【要約】【課題】屋外での傷口の洗いと消毒をより速くし従来品よりコンパクトにする。【解決手段】たれびんにオキシドールを入れ救急絆創膏をセロテープ（登録商標）か両面テープでそのたれびんに巻いて１セットにし携帯用として傷口の汚れを水圧で洗い落とし、オキシドールの水圧で傷口の奥まで消毒し、救急絆創膏で保護し、従来品よりコンパクトにし傷口の即洗浄消毒保護が可能となる。【選択図】なし【特許請求の範囲】
【請求項１】
（イ）オキシドールの入ったたれびんを１個用意する。
（ロ）パッケージに入った救急絆創膏を１枚用意する。
（ハ）救急絆創膏の白地のパッケージにオキシドールで水圧をかけて傷口を洗浄消毒し救急絆創膏を貼る使用法を書く。
（二）オキシドールの入ったたれびんの周りにこのパッケージに入った救急絆創膏を両面テープかセロテープ（登録商標）で巻いて貼り合わせひと束として１セットにする。
（ホ）この結果、屋外でオキシドールない所でも携帯できどこでも傷の洗いや消毒と保護が可能となる。
従来、水入り小袋とオキシドール含有脱脂綿付き救急絆創膏セットがあったが生産過程を早くし、既存のたれびんを使用することで液体がこぼれることもなくなった。またたれびんに救急絆創膏巻くことでよりコンパクトにした。使用法は先ずオキシドールの入ったたれびんを強く押してオキシドールの水圧で傷口の奥までも洗浄消毒でき、最後に救急絆創膏で保護する。以上の如く特徴を持つ携帯オキシドール入りたれびんに救急絆創膏を巻いた即洗浄消毒保護セット。
【発明の詳細な説明】
【技術分野】
【０００１】  本発明は、携帯オキシドール入りたれびんに救急絆創膏を巻いた即洗浄消毒保護セットに関する。
【背景技術】
【０００２】  従来、外出先での傷口は救急絆創膏で保護するだけに留まっていたしかさばった。【０００３】
【特許文献１】特開２０００−０４２０２５号公報
【発明の開示】
【発明が解決しようとする課題】
【０００４】    従来、外出先での傷口は救急絆創膏で保護するだけに留まっていたしかさばった。
【課題を解決するための手段】
【０００５】  たれびんにオキシドールを入れ救急絆創膏をたれびんの周りに巻いてセロテープ（登録商標）か両面テープで貼り付け１セットにした。
【発明の効果】
【０００６】  外出先の屋外での傷口洗いを可能にし、消毒、保護をさらにコンパクトにした。
【発明を実施するための最良の形態】
【０００７】    たれびんにオキシドールを入れ救急絆創膏をそのたれびんの周りにセロテープ（登録商標）で巻いて１セットにし、傷口の汚れをオキシドールたれびんを強く押してその水圧で洗い落としオキシドール入りたれびんを強く押してその水圧で傷口の奥までも消毒でき最後に救急絆創膏で保護する。以上の如く特徴を持つ携帯オキシドール入りたれびんに救急絆創膏を巻いた即洗浄消毒保護セット。
【実施例】
【０００８】    既製品のたれびんを使用することで生産過程を単純で早く当業者も作れるようにし、上記の如く実施される。
【産業上の利用可能性】
【０００９】    この分野の発明は特許文献１の改良でより良く効率的になっており、生産過程という面でも良く、擦り傷の多い子供等に使用でき、従来品より、よりコンパクトになっており携帯用としては産業上の利用可能性は高いと解される。
(57)【要約】      （修正有）【課題】菓子袋、他袋容器の開封後の密封保存するときに，棒をあて、ひもを回し，密封する。ひもを回しはずし開封する。何回でも使用できる密封具を提供する。【解決手段】棒１にひも２ｏｒ線を設け、棒１の一端にくし止め部３を設け、袋の開口部に棒１をあて、ひも２で袋の開口部を巻いた後に、ひも２の先端をくし止め部３に止めることのできる密閉具。【選択図】図１
2012250762.tif 000002
【特許請求の範囲】
【請求項１】
袋にあてる棒を有する。
【請求項２】
棒に袋をあて，ひもｏｒ線を回し密封させる，ひもｏｒ線を有する。
【請求項３】
棒に袋を，ひもｏｒ線で回し密封した後に，ひもｏｒ線のほつれを防止する、ゴムｏｒはさみ込むくし状物を有する。
【発明の詳細な説明】
【技術分野】
【０００１】  本発明は、袋容器の開封後の湿気遮断をする，止め具であり，何回も使用できる止め具に関するものである。
【背景技術】
【０００２】  従来，菓子袋，他袋状容器の開封後の密封は，ゴム利用、ひも利用、はさみ込み具等の物が色々利用されております。
【発明の開示】
【発明が解決しょうとする課題】
【０００３】  袋状の物を密封する時、次のような間題点があった。密封するとき，ひっぱり止める，しばる，はさむ，等のことがなされている。
きれる，しばる，おしはさむ，ことは、なかなかうまくゆかない，手間がかかるということがあります。
本発明は、棒をあて，くるくる回し，ほつれ防止にとめるだけで密封できる。
開封するときは，ひもを止め部分より，回しはずすことで，用意に開袋することができる，何回も使用することができる。
【課題を解決する手段】
【０００４】棒状物を設ける。ひもｏｒ線を設ける。
棒状物にほつれ防止の部分を設ける。
本発明は以上の構成よりなる，密封止め具である。
【発明の効果】
【０００５】  本発明を使用すると，棒をあて、数回，回し止めるだけで密封できる。数回，回して開袋できる，何回も使用できる。
【発明を実施するための最良の形態】
【０００６】  以下、本発明の形態を説明する。
（イ）金属，樹脂，木からなる，（１）棒を設ける
（ロ）棒に（２）ひもｏｒ線を設ける。
（ハ）棒にほつれ防止，（３）くし止め部，（４）ゴム止め部を設ける。
本発明は，以上の構成によりなる。
【図面の簡単な説明】
【０００７】
【図１】本発明の正面図
【図２】本発明の構図
【図３】本発明の使用図
【符号の説明】
【０００８】（１）棒、（２）ひも，（３）くし止め部、（４）ゴム止め部、（５）袋
【図１】
2012250762.tif 000003
【図２】
2012250762.tif 000004
【図３】
2012250762.tif 000005
(57)【要約】【課題】  台車やカートを用意できず、重いものや、持ちにくい大きさのもの、引きずってはいけないものなどを手持ちで長距離運ぶ場合に、楽に運ぶことができるひも掛けキャスターを提供する。【解決手段】  キャスターの基板（１）の側面に下方に傾斜した湾曲したひも掛け部（２）を設け、ひも掛け部（２）の一端は基板（１）に係着し他端は基板（１）より遊離した形状とし、このひも掛け部（２）には可撓性材質のパイプ（３）を緩嵌し、基板（１）の頂部には粘着面を持つ座板（４）を設けたひも掛けキャスターを特徴とする。【選択図】図１
2012250696.tif 000002
【特許請求の範囲】
【発明の詳細な説明】
【技術分野】
【０００１】  この発明は、キャスターの基板にひも掛け部を設けたひも掛けキャスターに関するものである。
【背景技術】
【０００２】  従来のキャスターは移動可能な物体の下部に取り付け、固定されて使われているが、キャスター台座に穴を設け、紐かベルト状の保持体を通して荷物と結合し移動するキャスターがあった（特許文献１参照）。
また、キャスター台座の支持面をＬ字状に形成し、紐状体などで取付対象物に取り付けるキャスターがあった（特許文献２参照）。
【先行技術文献】
【０００３】
【特許文献１】  特開２００４−４２８６９号公報
【特許文献２】  特開２０００−１２７７０７号公報
【発明の概要】
【発明が解決しようとする課題】
【０００４】  ある物体を持ち運ぶに当たって、重いもの、持ちにくい形や大きさのもの、引きずってはいけないものなどをある距離運ぶ場合、台車やカートを用意できない時は抱えたり、背負ったりして苦労して運ぶことになる。
この作業するにあたって、先行技術文献のようなキャスターを援用するには、紐を通しづらい、あるいは使用箇所を特定されるなどの問題点があった。
本発明は、これらの問題点を解決するためになされたものである。
【課題を解決するための手段】
【０００５】  キャスターの基板（１）の側部に下方に傾斜した湾曲したひも掛け部（２）を設け、ひも掛け部（２）の一端は基板（１）に係着し他端は遊離した形状とする。
このひも掛け部（２）には可撓性材質のパイプ（３）を緩嵌する。
基板（１）の頂部には粘着面を持つ座板（４）を設ける。
本発明は以上を特徴とするひも掛けキャスターである。
【発明の効果】
【０００６】  本発明のひも掛けキャスターを複数個使用して、運ぶべき物体の下部に粘着面の座板（４）によって仮止めし、ひも掛けキャスター間およびひも掛けキャスターと運ぶべき物体を適宜のひもによって緊縛し、緊縛したひもに運ぶに適した引き手を取り付け、あるいは緊縛したひもを持って楽に運ぶことができ、事後ひもを解いた本キャスターは再利用できる。
【図面の簡単な説明】
【０００７】
【図１】  本発明の斜視図である。
【図２】  本発明の平面図である。
【図３】  本発明の側面図である。
【発明を実施するための形態】
【０００８】  以下、本発明を実施の形態について説明する。
キャスターの基板（１）の側部に下方に傾斜した湾曲したひも掛け部（２）を設け、ひも掛け部（２）の一端は基板（１）に係着し他端は遊離した形状とする。
このひも掛け部（２）には可撓性材質のパイプ（３）を緩嵌する。
基板（１）の頂部には粘着面を持つ座板（４）を設ける。
本発明は以上のような構成で、これを使用する時は、ひも掛けキャスター間およびひも掛けキャスターと運ぶべき物体を適宜のひもによって緊縛し、緊縛したひもに運ぶに適した引き手を取り付け、あるいは緊縛したひもを持って楽に運ぶことができる。
同形の物体が多数ある場合、ひもで緊縛する手間を簡略するために両端にフックをつけたゴムバンドを長短必要数別途用意しておけば効率的である。
また、本キャスターを通常のキャスターとして使用する場合は、基板（１）の取り付け穴（５）のよって物体の下部に固定する。
【符号の説明】
【０００９】  １  基板
２  ひも掛け部
３  パイプ
４  座板
５  取り付け穴
６  キャスター
【図１】
2012250696.tif 000003
【図２】
2012250696.tif 000004
【図３】
2012250696.tif 000005
【手続補正書】
【提出日】平成23年7月26日(2011.7.26)
【手続補正１】
【補正対象書類名】特許請求の範囲
【補正対象項目名】全文
【補正方法】変更
【補正の内容】
【特許請求の範囲】
【請求項１】
キャスターの基板（１）の側面に下方に傾斜した湾曲したひも掛け部（２）を設け、ひも掛け部（２）の一端は基板（１）に係着し他端は基板（１）より遊離した形状とし、このひも掛け部（２）には可撓性材質のパイプ（３）を緩嵌し、基板（１）の頂部には粘着面を持つ座板（４）を設けることを特徴とするひも掛けキャスター。
(57)【要約】【課題】少なくとも二片に分割され、内部に空洞を設け、この分割片の結合部を示す線が外周部に生じない木製の置物を提供する。【解決手段】木片（１）の木目（２）の方向に強制破断し、強制破断片Ａ（３）、強制破断片Ｂ（４）は、木目の方向に破断面Ａ（５）及び破断面Ｂ（６）で分割し、これ等の破断面の何れか、または双方に空洞（７）を加工形成した後、破断面Ａ（５）と破断面Ｂ（６）を結合したことを特徴とする。【選択図】図３
2012250524.tif 000002
【特許請求の範囲】
【請求項１】
素材を木材とし、この素材を木目の方向に強制破断し、破断部の一部をくり貫き空洞を形成し後、破断面を接合した置物。
【発明の詳細な説明】
【技術分野】
【０００１】  この発明は、木材の外周部に合せ面、亡栓等の継ぎ目を目視できないようにし、内部に空洞を形成した置物に関するものである。
【背景技術】
【０００２】  従来、内部に空洞を設けた木材製の置物には、少なくとも単品加工した二片を単純に結合したもの、或いは、外部に繋がる穴が形成されている場合、この穴の大きさに対し、内部空洞を更に大きく拡大加工したものがあった。
【発明の開示】
【発明が解決しようとする課題】
【０００３】  単純加工した二片を単純に結合したものは、結合部の隙間を無くしても木目にズレが生じ、結合部を示す線が外周部に生じ美観が阻害され、また、外部に繋がる穴が形成され、この穴の大きさに対し、内部空洞を更に大きく拡大加工したものは、加工工具の関係から内部空洞の拡大に限界があった。
本発明は、これらの欠点を除くためになされたものである。
【課題を解決するための手段】
【０００４】  木片（１）の木目（２）の方向に強制破断された強制破断片Ａ（３）、強制破断片Ｂ（４）は、木目の方向に破断面Ａ（５）及び破断面Ｂ（６）で分割され、これ等の破断面の何れか、または双方に空洞（７）を加工形成した後、破断面Ａ（５）と破断面Ｂ（６）を結合する。
本発明は、以上のような構成からなる置物である。
【発明の効果】
【０００５】  発明は以上のような構造であり、破断面が木目の方向に強制破断であることから分割された破断面には木目の方向に微細な多数の凹凸が生じており、強制破断片Ａ（３）と強制破断片Ｂ（４）の結合は、破断面に生じた微細な多数の凹凸が噛み合わされ全ての方向に位置決めされて結合部を示す線が外周部に生じることがなく、自然の木目を残した内部空洞を有する美観に優れた置物が提供できる。
【発明を実施するための最良の形態】
【０００６】  以下、本発明の実施の形態について説明する。
木片（１）を木目（２）の方向に強制破断し強制破断された強制破断片Ａ（３）及び強制破断片Ｂ（４）の破断面Ａ（５）及び破断面Ｂ（６）に空洞（７）を加工形成とる共に、強制破断片Ａ（３）には空洞（７）から外部に貫通する空洞（７）より小径の孔（８）を設け、空洞（７）に孔（８）より大きな径の物体（９）を納めた後に破断面Ａ（５）と破断面Ｂ（６）を接着結合したものである。
【図面の簡単な説明】
【０００７】
【図１】  本発明の強制破断前の木片を示す斜視図である。
【図２】  本発明の強制破断後に空洞を加工形成した状態を示す斜視図である。
【図３】  本発明の空洞部に物体を納め破断面Ａと破断面Ｂを接着結合した斜視図である。
【符号の説明】
【０００８】１  木片
２  木目
３  強制破断片Ａ
４  強制破断片Ｂ
５  破断面Ａ
６  破断面Ｂ
７  空洞
８  孔
９  物体
【図１】
2012250524.tif 000003
【図２】
2012250524.tif 000004
【図３】
2012250524.tif 000005
(57)【要約】      （修正有）【課題】一行程で位置決めと面板装着が容易なピンの転写が可能となり、転写体（抜き木型）の刃類を基準にピン治具を装着する事から、位置関係の定常化が図れる。また、転写体（抜き木型）に加工を施す事無くピン治具が装着可能となり、作業性が向上する。【解決手段】雌型面板装着用ピン１とそのピンを支持するピン治具２より成る機構とし、ピン自身に位置決めと面板の取り付け用治具機能及び吸着機能を併せ持たせ、ピン治具は転写体（抜き木型）への位置決め機能とピンの支持機能を併せ持たせた事で実現する。【選択図】図−１
2012250523.tif 000002
【特許請求の範囲】
【請求項１】
雌型面板を位置決め装着する為に用いるピンの取り付けを、直接転写の方法によって可能ならしめた事を特徴とする雌型面板取り付け用転写形位置決めピン（以降ピンと云う）。
【請求項２】
転写体（抜き木型）へのピンの保持は専用のピン治具を介して行う事を特徴とする。
【発明の詳細な説明】
【発明の詳細な説明】
【産業上の利用分野】
【０００１】  本発明は例えば、段ボール、板紙又は樹脂フィルムの折れ線溝をプレス成形加工する時使用する雌型面板（面板と称するのが一般的である：以降面板と呼ぶ）を、面盤へ取り付ける工程で使用する位置決めの為のピンに関するものである。
【背景技術】
【０００２】  従来方法は、位置決めを目的とした円板状の物（以降マーカーと呼ぶ）を転写し、それに面板装着を容易成らしめる治具を嵌めこんで用いるという間接的な方法が一般的である。【０００３】  また、転写の行程でマーカーを保持する治具は、転写体（抜き木型）に何がしかの加工を施しそこへ取り付けて行うのが一般的である。【０００４】  位置決め用のマーカーは使い捨てが一般的である。【０００５】  上記から現状方法では、作業工数及び部材共に多く無駄を発生させる要因を抱えている。
以上のことから、従来のピン治具の機構及び取り付け方法は問題を抱えている。
【発明が解決しようとする課題】
【０００６】  上記説明でも明らかなように、上記公知の機構及び取り付け方法が抱えている問題を解決することにある。
【０００７】  本発明は、上記の問題点を解決するためになされたもので、位置決め用ピンを直接被転写体（面盤）に転写することが可能なピンと、転写体（抜き木型）に加工を施すことなくピンの保持が可能なピン治具を提供することに有る。
【課題を解決するための手段】
【０００８】  上記課題を解決するために、本発明は、ピンに面板の位置決めと面板装着を容易成らしめる治具機能を併せ持たせ、ピン治具は転写体に加工を施す事なく、ピン及びピン治具を取り付ける事が可能な機能を持たせ持った事を特徴とする。
【０００９】  ピンは適当な長さを持った円柱形状で吸着力を持たせたことを特徴とする。
【００１０】  ピンとピン治具は挿入状態で使用し、ピンとピン治具間には適当な摺動抵抗を持たすことが望ましい。
【００１１】  ピン治具は、転写体（抜き木型）に打ち込まれた罫線刃、切れ刃、及びそれに類する刃に、ピンの吸着力を利用し添え付けて使用し、転写後はピンからピン治具が容易に取り外し可能な事を特徴とする。
【００１２】  ピンとピン治具間の摺動抵抗は弾性材料、例えばゴム及びそれに類するものを利用して得る事を特徴とする。
【作用】
【００１３】  一行程で位置決めと面板装着が容易な機能を持ったピンの転写が可能となる。
【００１４】  転写体（抜き木型）の刃類を基準にピン治具を装着する事から、位置関係の定常化が図れる。
【００１５】  転写体（抜き木型）に加工を施す事無くピン治具が装着可能となる。
【発明の効果】
【００１６】  面板を直接取り付ける事が可能なピンを転写出来る事から作業性が向上する。
【００１７】  ピンの取り付け位置の標準化が可能となり作業性が向上する。
【００１８】  転写体（抜き木型）への加工が廃止出来き加工費用の削減が図れる。
【００１９】  使い捨て部材が無くなり無駄な費用の削減が図れる。
【００２０】  刃類を基準に装着することから雄（罫線刃）、雌（面板）の整合精度保証要因の削減が図れ、品質保証が容易となる。
【実施例】
【００２１】  本発明による取り付け方法を備えたピン及びピン治具の具体的実施例を図を参照しながら説明する。【００２２】  ［図−１］はピンとピン治具を転写体（抜き木型）に装着した状態を示している。
【図面の簡単な説明】
【００２３】
【図−１】はピン▲１▼及びピン治具▲２▼を転写体（抜き木型）の刃類▲４▼の任意の部位にピン▲１▼の吸着力を利用して装着した状態を示している。
【符号の説明】
【００２４】  ▲１▼  ピン                          ▲３▼  合板
▲２▼  ピン治具                      ▲４▼  刃類
【図−１】
2012250523.tif 000003
(57)【要約】【課題】船舶における操船性の向上が図れるプロペラレーシング監視装置を得る。【解決手段】船体１０に設置され、水面１１にレーザ光１ａを照射するレーザ発振器１と、船体１０の側壁に設置されレーザ光が水面１１から散乱する散乱光を検出する複数の光センサ２を備え、これらにより水面位置を検出する水面位置検出装置と、水面位置検出装置で検出した水面位置と、プロペラの位置との関係からプロペラレーシングの可能性を判断するプロペラレーシング判断装置とを具備し、プロペラレーシングの可能性ありと判断したとき、推進器４に対してプロペラ３の回転数を下げるように指令を与えるもの。  水面位置検出装置は、船舶周辺の水面状態が逐次どのように変化しているのかを定量的に測定する。そして、プロペラ３の空気中への露出する可能性が高いと判断した場合、予めプロペラ３の回転数を下げるよう推進器４を制御する指令を送出する。【選択図】図１
2012250565.tif 000002
【特許請求の範囲】
【請求項１】
船体外部に設置されているプロペラに対して回転駆動力を与える推進器を備えた船舶において、
前記船体に設置され、水面にレーザ光を照射して前記水面から散乱する散乱光を検出することで水面位置を検出する水面位置検出装置と、
前記水面位置検出装置で検出した水面位置と、前記プロペラの位置との関係からプロペラレーシングの可能性を判断するプロペラレーシング判断装置と、
を具備し、前記プロペラレーシング判断装置がプロペラレーシングの可能性ありと判断したとき、前記推進器に対して前記プロペラの回転数を下げるように指令を与えるようにしたことを特徴とするプロペラレーシング監視装置。
【発明の詳細な説明】
【技術分野】
【０００１】
本発明の実施形態は、船舶における操船性の向上を目的とするプロペラレーシング監視装置に関する。
【背景技術】
【０００２】
従来、船体の動揺によって、プロペラが一時的に水面上に露出し、プロペラが空転する現象、プロペラレーシング現象を防止するためには、荒天状態においては予め船速を落として低速で運航するなどの操船上の考慮が行なわれていた。
【０００３】
また、水位検出器を用いて、プロペラ近くの船体と水面との相対位置を検出して演算の上、推進器の負荷調整をする方法もある。
【０００４】
プロペラレーシングが引き起こされると、推進器の回転数制御が困難になり、船速の著しい低下や前進力の喪失、電気推進装置の場合は、船内電力の急激な負荷変動を招く。
【先行技術文献】
【特許文献】
【０００５】
【特許文献１】特開昭５８−１５２６９７号公報
【特許文献２】特開昭５８−１４３１４４号公報
【発明の概要】
【発明が解決しようとする課題】
【０００６】
従来の船舶では、荒天時には推進器の回転数を落として低速で荒天海域から離れる、若船舶における操船性の向上を目的とするしくは荒天状態の回復を待つような方法しかなく、推進器を効率的に運用できないという問題があった。
【０００７】
本実施形態は、船舶における操船性の向上が図れるプロペラレーシング監視装置を提供することを目的とする。
【課題を解決するための手段】
【０００８】
本実施形態のプロペラレーシング監視装置は、船体外部に設置されているプロペラに対して回転駆動力を与える推進器を備えた船舶において、前記船体に設置され、水面にレーザ光を照射して前記水面から散乱する散乱光を検出することで水面位置を検出する水面位置検出装置と、前記水面位置検出装置で検出した水面位置と、前記プロペラの位置との関係からプロペラレーシングの可能性を判断するプロペラレーシング判断装置と、を具備し、前記プロペラレーシング判断装置がプロペラレーシングの可能性ありと判断したとき、前記推進器に対して前記プロペラの回転数を下げるように指令を与えるようにしたものである。
【図面の簡単な説明】
【０００９】
【図１】実施の形態１のプロペラレーシング監視装置の構成図。
【図２】本実施の形態１のプロペラレーシング監視装置の制御ブロック図。
【図３】本実施の形態１のプロペラレーシング監視装置の作用効果を説明するための図。
【発明を実施するための形態】
【００１０】
以下、実施の形態について、図面を参照して説明する。
【００１１】
水面位置検出装置は、船体１０に設置され、水面１１にレーザ光１ａを照射するレーザ発振器１と、船体１０の側壁に設置されレーザ光が水面１１から散乱する散乱光を検出する複数の光センサ２を備え、これらにより水面位置を検出するものである。
【００１２】
プロペラレーシング判断装置は、水面位置検出装置で検出した水面位置と、プロペラの位置との関係からプロペラレーシングの可能性を判断するもので、プロペラレーシング判断装置がプロペラレーシングの可能性ありと判断したとき、推進器４に対してプロペラ３の回転数を下げるように指令を与えるようにしたものである。
【００１３】
水面位置検出装置は、船舶周辺の水面状態が逐次どのように変化しているのかを定量的に測定する。そして、プロペラ３の空気中への露出する可能性が高いと判断した場合、予めプロペラ３の回転数を下げるよう推進器４を制御する指令を送出する。
【００１４】
本実施形態の水面位置検出装置は、レーザを用いることにより、水位計などによる計測とは異なり、水面を三次元で能動的に捉え、水面の変動が予測できる点と実際にプロペラのどの部分が空気中に露出しているのか、時々刻々の変化を捉えることが可能であり、制御性能が向上するものと考える。
【００１５】
本実施形態のプロペラレーシング監視装置によれば、水面状態に応じて、プロペラレーシングの可能性を予測して、効率よく自動的に操船することが可能である。
【００１６】
図２は、レーシング予測の監視ブロック図である。レーザ発振器１と光センサ２による水面位置検出（Ｓ１）して得られた情報から、水面１１とプロペラ３の位置関係の予測を行い（Ｓ２）、レーシングの可能性予測を行い（Ｓ３）、レーシングの可能性大かどうかを判断する（Ｓ４）。ここで、レーシングの可能性大でないと判断するとプロペラ３の回転数を通常のまま指令とし（Ｓ６）、Ｓ４においてレーシングの可能性大と判断した場合に、回転数を下げるよう指令を推進器４に与える（Ｓ５）。
【００１７】
図３は、プロペラ３と水面１１の位置確認のイメージ図であり、三次元でプロペラ３に対する水面１１の変化を確認できる。
【００１８】
プロペラと水面の位置イメージ図であり、プロペラ３が水面から露出する割合が大きいとレーシングになりやすいため、露出の少ない段階でのレーシングの可能性予測が重要である。
【符号の説明】
【００１９】
１…レーザ発振器、１ａ…レーザ光、２…光センサ、３…プロペラ、４…推進器、１１…水面。
【図１】
2012250565.tif 000003
【図２】
2012250565.tif 000004
【図３】
2012250565.tif 000005
(57)【要約】【課題】今までの食べ物等で、特にお菓子には、油ぽい物があり素手で、食べると、親指、人差し指が油ぽくなり、特に電話がきた時にはすぐに受話器が取れずに、間に合わずに電話が切れてしまう事がありました、又食べるたびにテッシューを使用しておりました。【解決手段】細長い両サイドを折り曲げ、両サイドを溶着を有した親指（３）、人差し指（２）を設けた手袋（１）で、簡単に親指、人差し指に取り付け、取りはずしができるつまみ手袋である【選択図】図１
2012112086.tif 000002
【特許請求の範囲】
【請求項１】
手袋（１）の甲の部分をカットし、親指（３）、人差し指（２）の指先だけを残し、残り３本の指先だけも残しカットした手袋（１）である。
【請求項２】
細長い両サイドを折り曲げ両サイドを、溶着を有した、親指（３）、人差し指（２）を設けた手袋（１）である。
【請求項３】
以上の手袋（１）は、天然ゴム、ポリエチレン、塩化ビニル樹脂、紙ポリウレタン、合成ゴムのいづれかを有したつまみ手袋である。
【発明の詳細な説明】
【技術分野】
【０００１】この発明は、いつどのような時でも、すぐに対応のできるようにした時代の手袋である。
【背景技術】
【０００２】従来の手袋は、ピッタリしている為に、はめにくく、はずしにくく、そして、いそがしい時にはうすい為に破いたりしました、食べる時の手袋等はありませんでした。
【発明が解決しようとする課題】
【０００３】これは次のような欠点がありました。
今までの手袋は手にはめる際、又は取りはずすにしても簡単にできるような手袋等はありませんでした。
特にこの手袋は食べる時に使用するようにした食べ物よう手袋である。
素手で、食べるので、手、手平に油なり、又はこまかい塩とか？  又はねばり物とが気になり、又はつまみぐいした時などはすぐに、作業等ができず、かならず食べるたびに、テッシューで手を拭き大変でした。
特に食べている際に、電話のベルが鳴るとすぐに受話器を取る事ができませんでした、これが会社に取って一大事な事になるかもしれません。
又、来客がきた時などは大変でありました。
本発明は以上のような欠点をなくしました。
【課題を解決するための手段】
【０００４】この手袋（１）は甲の部分をカットし、親指（３）、人差し指（２）、残り３本指の指先を残し、すべてカットした手袋（１）である。
細長い両サイドを折り曲げ、両サイドを溶着を有した、親指（３）、人差し指（２）を設けた手袋（１）である。
【発明を実施の形態】
【０００５】以下、本発明の実施の形態について説明する。
手袋（１）の甲の部分をカットし、親指（３）、人差し指（２）、残り３本の指先だけ残し、カットした手袋（１）であるので、甲の部分、指の部分でも指先だけ残し、カットしているので、親指、人差し指をすばやく入れやすく、手のひらは手袋でカバーしている。
細長い両サイドを折り曲げ、両サイドを溶着を有した、親指（３）と人差し指（２）だけの手袋（１）である、簡単に親指と人差し指を入れやすく、又、簡単にはずしやすい、切り取り線（４）を有した手袋（１）である。
細長くした紙の両サイドを折り曲げ、両サイドをノリではりつけたつまみ手袋である、切り取り線（４）を有した手袋（１）である。
【発明の効果】
【０００６】つまみ手袋は甲の部分はカットしてあるので、指がはいりやすく、はずしやすく、いつでもどこでも急な時に対応できる手袋である。
特に食べ物用の手袋である為、環境にもよく、テッシューもそのつど使用しなくても良い。
そして急な時などにも、すぐに対応できます、そして手のひらがいつでもきれいでいられますので、会社のＯＬさん、又、家族でも、油によって柱が油じみなく、いつでも家がきれいでいられます、何回でも使用できます。
【図面の簡単な説明】
【図１】細長く両サイドを折り曲げ、両サイドを溶着を有した親指（３）、人差し指（２）のつまみ手袋の斜面側面図。
【図２】手袋（１）の甲の部分をカットし、指先だけを残したつまみ手袋の正面図。
【図３】切り取り線（４）を有した人差し指（２）、親指（３）を有したつまみ手袋の正面図。
【符号の説明】手袋        １
人差し指    ２
親指        ３
切り取り線  ４
３本入る指  ５
【図１】
2012112086.tif 000003
【図２】
2012112086.tif 000004
【図３】
2012112086.tif 000005
(57)【要約】【課題】従来の構成では、クランク軸に設けられた径方向の数個の孔が同じ径であったために、上側の冷凍機油が少なくなり、潤滑油が不足しがちな圧縮機構部上部へ十分潤滑油を供給できず信頼性を低下させるという課題を有していた。【解決手段】本発明の密閉型圧縮機は、クランク軸に設けられた径方向の数個の孔の径を上に行くに従い大きくすることで、潤滑油が不足しがちな圧縮機構部上部へ十分潤滑油を供給させ、これによって、信頼性を向上させることができる。【選択図】図１
2012112278.tif 000002
【特許請求の範囲】
【請求項１】
密閉容器内に電動機部と圧縮機構部とを備え、前記電動機部の回転力をクランク軸によって前記圧縮機構部に伝達し、前記圧縮機構部はクランク軸、上軸受け、シリンダ、下軸受け、ピストン、仕切り板とからなり、密閉容器下部にある潤滑油により潤滑される密閉型圧縮機であって、前記クランク軸は、密閉容器下部にある潤滑油を吸い上げるための軸方向孔、および、前記軸方向孔と連通する複数の径方向孔を有し、前記複数の径方向孔を上に行くに従い大きくしてなる密閉型圧縮機。
【発明の詳細な説明】
【技術分野】
【０００１】
本発明は、冷凍機、空調機、乾燥機などに使用される密閉型圧縮機の信頼性向上に関するものである。
【背景技術】
【０００２】
従来、この種の密閉型圧縮機は、図３に示すように、クランク軸４１は、密閉容器１の下部にある潤滑油１０を吸い上げるための軸方向孔４１ａを有し、下軸受け７、ピストン８、上軸受け５とクランク軸４１との間を潤滑するため同一径の径方向孔４１ｂと径方向孔４１ｃとが軸方向孔４１ａと連通するように設けられていた。
【０００３】
しかしながら、径方向孔４１ｂと径方向孔４１ｃはそれぞれ同じ大きさの孔であるため、密閉容器下部に溜まっている潤滑油が十分に圧縮機構部上部に供給されず、上側の潤滑油１０が少なくなり、信頼性を低下させる場合があった（例えば、特許文献１参照）。
【先行技術文献】
【特許文献】
【０００４】
【特許文献１】特開２００９−１８０１０８号公報
【発明の概要】
【発明が解決しようとする課題】
【０００５】
上述したように、従来の構成では、クランク軸に設けられた径方向の数個の孔が同じ径であったために、上側の冷凍機油が少なくなり、潤滑油が不足しがちな圧縮機構部上部へ十分潤滑油を供給できず信頼性を低下させるという課題を有していた。
【０００６】
本発明は、前記従来の課題を解決するもので、信頼性を向上した密閉型圧縮機を提供することを目的とする。
【課題を解決するための手段】
【０００７】
前記従来の課題を解決するために、本発明の密閉型圧縮機は、クランク軸に設けられた径方向の数個の孔の径を上に行くに従い大きくすることで、潤滑油が不足しがちな圧縮機構部上部へ十分潤滑油を供給させ、これによって、信頼性を向上させることができるものである。
【発明の効果】
【０００８】
本発明の密閉型圧縮機は、信頼性を向上することができる。
【図面の簡単な説明】
【０００９】
【図１】本発明の実施の形態１における密閉型圧縮機の断面図
【図２】本発明の実施の形態１におけるクランク軸下端部斜視図
【図３】従来の圧縮機後部の断面図
【発明を実施するための形態】
【００１０】
第１の発明は、クランク軸に設けられた径方向の数個の孔の径を上に行くに従い大きくするものである。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における密閉型圧縮機の断面図、図２は同クランク軸の下端部斜視図である。
【００１３】
図１、図２に示すように、密閉容器１内に、電動機部２と圧縮機構部３とを備え、電動機部２の回転子２ａはクランク軸４に固定され、電動機部２の回転力をクランク軸４によって圧縮機構部３に伝達し冷媒ガスを圧縮する。圧縮機構部３はクランク軸４、上軸受け５、シリンダ６、下軸受け７、ピストン８、仕切り板９により構成され、密閉容器１の下部にある潤滑油１０により潤滑されている。
【００１４】
クランク軸４には、密閉容器１の下部にある潤滑油１０を吸い上げるための軸方向孔４ａと、これと連通する下側の径方向孔４ｂおよび上側の径方向孔４ｃが設けられており、下軸受け７、ピストン８、上軸受け５とクランク軸４の間を潤滑するための潤滑油を供給している。そして、上側に配置された径方向孔４ｃを下側に配置された径方向孔４ｂよりも大きくすることで、潤滑油が不足しがちな圧縮機構部３の上部へ十分な潤滑油１０を供給し、信頼性を向上することができる。
【産業上の利用可能性】
【００１５】
以上のように、本発明にかかる密閉型圧縮機は、簡単な方法で、信頼性を向上させることが可能となるので、ヒートポンプを用いた機器への用途に適用できる。
【符号の説明】
【００１６】
１  密閉容器
２  電動機部
２ａ  回転子
３  圧縮機構部
４  クランク軸
４ａ  軸方向孔
４ｂ  径方向孔
４ｃ  径方向孔
５  上軸受け
６  シリンダ
７  下軸受け
８  ピストン
９  仕切り板
１０  潤滑油
４１  クランク軸
４１ａ  軸方向孔
４１ｂ  径方向孔
４１ｃ  径方向孔
【図１】
2012112278.tif 000003
【図２】
2012112278.tif 000004
【図３】
2012112278.tif 000005
(57)【要約】      （修正有）【課題】繰り返し何回も使えて、現場の排水口に合わせて使用可能な、浴室洗い場や洗面台の排水口のヘアキャッチャー用毛髪除去シートを提供する。【解決手段】マグネット式シートでヘアキャッチャー用毛髪除去シートを制作することで、金属製のヘアキャッチャーに磁力でマグネット式毛髪除去シート１１を貼り付けることが出来、粘着材での張り付けでないので、金属製のヘアキャッチャーから剥がした後も何回も継続して使用することが可能となり、使い捨てとならないので無駄が出ない。金属製でないヘアキャッチャーや磁石に反応しない金属のヘアキャッチャーの場合に、ヘアキャッチャーの中心部や周辺部に片面粘着面式のマグネット式シートを粘着面で貼り付け、その裏面の磁力を利用してマグネット式毛髪除去シートを磁力で貼り付ける。【選択図】図１
2012112231.tif 000002
【特許請求の範囲】
【請求項１】
マグネット式シートでヘアキャッチャー用毛髪除去シートを作製することで、金属製ヘアキャッチャーにマグネット式毛髪除去シートを磁力で貼り付けることが出来るヘアキャッチャー用毛髪除去シートであり、シートの形状は丸や四角でもよく、剥がし易いようにシートの端をＵ字型に飛び出させてもよく、シートに設ける排水用の穴は丸でも四角でもよく、穴の大きさは均等でもよく、不揃いでもよい。
【請求項２】
ヘアキャッチャーが金属製でない場合や磁石に反応しない金属製の場合に、ヘアキャッチャーの中心部や周辺部に形は丸でも四角でもよい片面粘着面式のマグネット式シートを粘着面で張り付け、その裏面の磁力を利用してマグネット式毛髪除去シートを貼り付けることが出来る請求項１に記載のヘアキャッチャー用毛髪除去シート。
【請求項３】
本体は柔らかいマグネット式シートで形成されており、各ヘアキャッチャーのサイズに合わせて、はさみで切断することで、多数のヘアキャッチャーのサイズに合わせて使用出来る汎用性を持った請求項１又は２に記載のヘアキャッチャー用毛髪除去シート。
【請求項４】
表面に防カビや抗菌加工を加えた請求項１〜３に記載のヘアキャッチャー用毛髪除去シート。
【発明の詳細な説明】
【技術分野】
【０００１】  本発明は浴室洗い場や洗面台の排水口のヘアキャッチャーに取り付ける毛髪除去シートに関するものである。
【背景技術】
【０００２】  毛髪を配水管に流さないために、浴室洗い場や洗面台の排水口のアキャッチャーに粘着材で貼り付ける毛髪除去シートが従来からあった。
【発明の概要】
【発明が解決しようとする課題】
【０００３】  ところが前記の粘着材で貼り付ける毛髪除去シートは、使用後に毛髪を除去するためにヘアキャッチャーから毛髪除去シートを剥がした後では、シートの粘着性がなくなり再度使用することが出来ず、毎回使い捨てとなり無駄であった。【０００４】  そこで、本発明はマグネット式シートでヘアキャッチャー用毛髪除去シートを作製することで、金属製ヘアキャッチャーにマグネット式毛髪除去シートを磁力で貼り付けることが出来、金属製ヘアキャッチャーから剥がした後も何回も継続して使用することが可能となり、使い捨てとならないので無駄が出ない。
【課題を解決するための手段】
【０００５】  請求項１に記載の発明は、マグネット式シートでヘアキャッチャー用毛髪除去シートを作製することで、金属製ヘアキャッチャーにマグネット式毛髪除去シートを磁力で張り付けることが出来るヘアキャッチャー用毛髪除去シートであり、シートの形状は丸や四角でもよく、剥がし易いようにシートの端をＵ字型に飛び出させてもよく、シートに設ける複数の排水用の穴は丸でも四角でもよく、穴の大きさは均等でもよく、不揃いでもよい。【０００６】  請求項２に記載の発明は、ヘアキャッチャーが金属製でない場合や磁石に反応しない金属製の場合に、ヘアキャッチャーの中心部や周辺部に形は丸や四角でもよい片面粘着面式のマグネット式シートを粘着面で貼り付け、その裏面の磁力を利用してマグネット式毛髪除去シートを磁力で貼り付ける請求項１に記載のヘアキャッチャー用毛髪除去シート。【０００７】  請求項３に記載の発明は、各排水口メーカーによって、排水口のヘアキャッチャーのサイズが異なっているために、毛髪除去シートのサイズが合わない場合があり、本発明の毛髪除去シートは柔らかいマグネット式シートで形成されており、各ヘアキャッチャーの形やサイズに合わせて、はさみで切断することで、多数のヘアキャッチャーのサイズに合わせて使用出来る、汎用性をもった請求項１又は２に記載のヘアキャッチャー用毛髪除去シート。【０００８】  請求項４に記載の発明は、表面に防カビや抗菌加工を加えた請求項１〜３に記載のヘアキャッチャー用毛髪除去シート。
【発明の効果】
【０００９】  請求項１に記載の発明によれば、金属製ヘアキャッチャーにマグネット式毛髪除去シートを磁力で貼り付けることが出来、金属製ヘアキャッチャーから剥がした後も何回も継続して使用することが可能となり、使い捨てとならないので無駄が出ない。【００１０】  請求項２に記載の発明によれば、請求項１の発明の効果に加え、ヘアキャッチャーが金属製でない場合や磁石に反応しない金属製の場合に、ヘアキャッチャーの中心部や周辺部に粘着式のマグネット式シートを貼り付けることで、その磁力を利用してマグネット式毛髪除去シートを貼り付けることが出来る。【００１１】  請求項３に記載の発明によれば、請求項１又は２の発明の効果に加え、各ヘアキャッチャーのサイズに合わせてマグネット式毛髪除去シートをはさみで切断出来るので、多数のヘアキャッチャーの形やサイズに合わせて使用出来る。【００１２】  請求項４に記載の発明によれば、請求項１〜３の発明の効果に加え、防カビ・抗菌加工をすることで、カビやヌメリを押さえられる。
【図面の簡単な説明】
【００１３】
【図１】本発明の製作品の平面図。
【図２】同じく、製作品の断面図。
【図３】同じく、金属製でないヘアキャッチャーに片面粘着面式のマグネット式シートを貼り付けた平面図。
【図４】同じく、金属製でないヘアキャッチャーに片面粘着面式のマグネット式シートを貼り付けた側面図。
【発明を実施するための形態】
【実施例】
【００１４】  以下、本発明を具体化した第１実態形態を図面に基づいて説明する。【００１５】  図１、図２に示すように本体１１に複数の排水用の穴１２を設ける図である。
図３，図４に示すように金属製でないヘアキャッチャー１３に粘着面１４を持った片面粘着面式のマグネット式シート１５を貼り付けた図である。【００１６】１１      毛髪除去シート本体
１２      排水用の穴
１３      金属製でないヘアキャッチャー
１４      粘着面
１５      片面粘着面式のマグネット式シート
【図１】
2012112231.tif 000003
【図２】
2012112231.tif 000004
【図３】
2012112231.tif 000005
【図４】
2012112231.tif 000006
(57)【要約】      （修正有）【課題】養生シートを簡単に素早く綺麗に設置、敷き込み、固定貼付する方法を提供する。【解決手段】養生シート１を養生対象物に簡単に素早く綺麗に敷き込み、設置し貼付固定するために、養生シート１を粘着テープ３で貼付する際のテープ３代を確保する目的で、養生シート１の縁に沿って列状に穴２を開けることにより、その穴２を粘着テープ３の貼り代とする。【選択図】図２
2012112230.tif 000002
【特許請求の範囲】
【請求項１】
建築工事、塗装工事、吹き付け工事、引越し等で床、壁、天井等その他の物品の傷付き、汚れ、破損を防止するための養生として養生シートを粘着テープを用いて貼付固定してきたが、養生シートの縁に沿って列状に穴を開け、その縁に沿った列状の穴を粘着テープの貼り代として粘着テープを貼付することによって、養生シートの貼付固定を容易にした穴開き養生シート。
【発明の詳細な説明】
【技術分野】
【０００１】  本発明は、建築工事、塗装工事、吹付け工事、引越し等で使用する穴開き養生シートに関するものである。
【発明の開示】
【発明が解決しようとする課題】
【０００２】  建築工事、塗装工事、吹付け工事、引越し等の際、床、壁、天井やその他の物品を汚れや疵付け破損から保護するために、その多くは養生シートを用いて養生を行っていたが、粘着テープを用いて養生シートを固定するために、粘着テープの貼り代として床、壁、天井や養生対象物の端と養生シートの間に隙間を設けて敷き込み、設置をしなければならなかった。
そのために養生シートの敷き込み、設置時において、床、壁、天井、養生対象物等の端部に一定幅の粘着テープの貼り代を残しての養生紙、養生シートの敷き込み、設置にはかなりの手間とある程度の熟練を必要とした。
更に固定粘着テープ貼布の際にズレ、シワ、隙間が生じたりして、養生の効果を減少する要因となることもあった。
本発明は、以上の問題点を解決し、養生シートを簡単に素早く綺麗に設置、敷込み、固定貼付するためになされたものである。
【課題を解決するための手段】
【０００３】  養生シートを粘着テープで貼付する際のテープ代をどのようにすれば良いのかを考察し、養生シートの縁に沿って列状の穴を開けることにより、その穴を粘着テープの貼り代とすることにした。
【発明の効果】
【０００４】  養生シートの縁にそって列状に穴を開けることにより、養生シートを敷き込み、設置する際にその縁に沿った列状の穴が粘着テープの貼り代になるので床、壁、天井や養生対象物の端からの粘着テープの貼り代隙間の必要が無くなり、重ね合せて貼付する時も縁に沿った列状の穴が粘着テープの貼り代になるので、ズレが生じることもなく、作業も容易になり、シワ、歪み、隙間等も生じないので、目的を満足させることが出来た。
【図面の簡単な説明】
【０００５】
【図１】本発明の平面図
【図２】本発明の使用状態を表す平面図
【図３】本発明前の従来の養生シートの使用状態を表す平面図
【符号の説明】
【０００６】（１）穴開き養生シート  （２）縁に沿って列状に開けた穴  （３）粘着テープ
（４）養生対象物の端部  （５）粘着テープ貼り代としての隙間
【図１】
2012112230.tif 000003
【図２】
2012112230.tif 000004
【図３】
2012112230.tif 000005
(57)【要約】      （修正有）【課題】２０世紀からの課題の発電エネルギーを解決する、クリーンでエコ開発された発電エネルギー、循環式発電を紹介する。【解決手段】従来の発電には問題が多い、ダム発電では莫大な費用に広大な自然破壊、火力発電ではCO2排出のため地球温暖化、原子力発電ではトラブルの隠ぺい工作等で住民の不安や使用済燃料に掛る莫大な費用が掛るという問題といった大物とあとは小物の発電では風力発電では自然の力には勝てない、例えば風が吹かなければ風車は回らないし、風車のプロペラに落雷が落ちれば運転不能となり補修費も大変な額になる。あとは太陽光発電、太陽熱発電、潮汐発電、地熱発電、波力発電、温度差発電もあるが発電能力に弱点あり。これらを解決できる発電方法の循環遠心力発電である。【選択図】図１
2012112343.tif 000002
【特許請求の範囲】
【請求項１】
水槽（タンク）内の動力源である水や空気等に拘らない物質を循環させて浮船（ローター）を回転させ遠心力を用いたことを特徴とする循環遠心力発電。
【請求項２】
水槽（タンク）の底部に水や空気等に拘らない物質を循環させる吸入配管をポンプに取り付け該ポンプから水槽（タンク）の放出口にかけて放出配管を設け、物質を循環させて浮船（ローター）を回転させることを特徴とする請求項１記載の循環遠心力発電。
【発明の詳細な説明】
【技術分野】
【０００１】
本発明は、水槽（タンク）に水を張り、羽根を取り付けた容器（錘入り）を浮かせ水槽（タンク）の水をポンプで循環させ、放出口より出る圧力水を羽根に放出することで容器（錘入り）を回させ遠心力を利用して発電させる循環遠心力発電に関するものである。
【背景技術】
【０００２】
従来の発電方法には、ダム発電、水車発電、水路式発電、風力発電、太陽光発電、太陽熱発電、波力発電、潮汐発電、地熱発電、海洋温度差発電、火力発電、原子力発電が知られているが、未請求の遠心力を用いた浮揚及び発電装置（特許文献１）と循環水力発電装置（特許文献２）がある。
【発明の概要】
【発明が解決しようとする課題】
【０００３】
上記に記載した発電方法ではお金を掛けた割には発電能率が悪いもの、自然災害に弱い物、地球温暖化に拍車を掛ける物、使用後の後処理方法と難題を抱えている。これらを解決できるクリーンで低コストな代替えエネルギーを模索することが緊急の課題である。
【課題を解決するための手段】
【０００４】
課題を解決するためのクリーンで低コストな代替えエネルギー開発で上記の難問を解決できる発電装置を提供する。本発明は、水槽（タンク）に水を張り、溜めた水をポンプで循環させ放出口より圧力を掛けた流水を水槽（タンク）内で回すと共に羽根（水車）と一体の容器（発電ローター）も回して回転エネルギーに変換し、発電することを特徴とし課題を解決するものである。
【発明の効果】
【０００５】
本発明は、今までにない循環式発電方法で化石燃料やプルトニウム燃料を使わない地球に優しいクリーンなエネルギーと格安な工事費と安定した電力供給の出来るものである。
【発明を実施するための形態】
【０００６】
以下、本発明の実施の形態を図１〜図２に基づいて説明する。
【０００７】
図は、水槽（２）に水（１８）を張り、水（１８）を張った水槽（２）の中に水車羽根（４）、錘（５）シャフト（６）と一体に成った浮船（ローター）（３）を水槽（２）の中に入れシャフト（６）がボウル（１４）に当たる手前まで浮船（３）を沈める。
【０００８】
次に仮説電源より電気供給しポンプ（１１）を作動し吸入配管（１２）から水（１８）を吸い上げて放出配管（１３）より水（１８）を水槽（２）へもどす、水（１８）を循環させて浮船（３）を回転させて自力発電ができる状態に達したら仮説電源をきる。
【先行技術文献】
【特許文献】
【０００９】
【特許文献１】特開平１０−１２２１２７
【特許文献２】特開平１１−２３９２９０
【図面の簡単な説明】
【００１０】
【図１】本発明の本体断面図
【図２】本発明の A―Ａ線断面図
【符号の説明】
【００１１】
１・・・発電機
２・・・水槽（タンク）
３・・・浮船（ローター）
４・・・水車羽根
５・・・錘（ウエイト）
６・・・シャフト
７・・・カップリング
８・・・軸受
９・・・ボール
１０・・・スプリング
１１・・・ポンプ
１２・・・吸入配管
１３・・・放出配管
１４・・・ボルト
１５・・・振れ止め治具
１６・・・外周ウエイト
１７・・・空気室
１８・・・水
１９・・・放出口
【図１】
2012112343.tif 000003
【図２】
2012112343.tif 000004
(57)【要約】【課題】従来の、温水温風暖房器は、熱エネルギー源として、化石燃料を使用する技術である、そのため、排気ガスが出るため、排煙設備が必要、温水源が外にあるため内外配管設備などの設置工事が必要となり、設置場所に制限がある【解決手段】本発明は、上記課題を解決するために、電気エネルギーを熱源とし、高周波電磁誘導加熱器上部に設置された、温水加熱用貯留タンク内部に、不凍液を注入し通電させると、不凍液の温度が（プラス２０℃以上）上昇し、加熱された不凍液を、循環ポンプで熱交換器に送り、送風ファンにて室内空気と熱交換させる。そのため、排気ガスは出ない、内外配管工事不要、場所を選ばない、高周波電磁誘導加熱式温水温風暖房器。【選択図】図２
2012112637.tif 000002
【特許請求の範囲】
【請求項１】
本発明は、１高周波電磁誘導加熱器（パイプ加熱ヒーター等含む）、２不凍液貯留加熱用金属タンク、３熱交換器、４不凍液、５循環ポンプ、６送風ファン、７温度感知調整器、を基本的な組み合わせとし、高周波電磁誘導加熱器（パイプ加熱ヒーター含む）に通電をせしめ、不凍液加熱貯留タンクでお湯を（プラス２０℃以上）得て、循環ポンプで熱交換器に送り、送風ファンで室内空気と熱交換することを特徴とする、高周波電磁誘導加熱温水温風暖房器。
【請求項２】
本発明は、上記で得られた熱せられた不凍液を、床暖房パネルに液を循環ポンプで循環させる、床暖房システムとして使用することができる、高周波電磁誘導加熱温水温風暖房器。
【発明の詳細な説明】
【技術分野】
【０００１】本発明は、電気エネルギーを熱源とし、高周波電磁誘導加熱器で、お湯を沸かし、このお湯を循環ポンプで、熱交換器に送り循環させ、送風ファンで室内空気と熱交換をする、高周波電磁誘導温水温風暖房器。
【背景技術】
【０００２】従来、温水暖房器等、化石燃料を主なエネルギーとして燃やし、お湯を沸かし温水を得て、循環ポンプでお湯を熱交換器に送り、送風ファンで室内空気と熱交換をする、温水温風暖房器が多くあった。
【先行技術文献】
【特許文献】
【０００３】
【特許文献１】特許公開２０００−０２８１５２
【非特許文献】
【０００４】
【非特許文献１】ケーズデンキ  家電カタログ８６２、２０１０年１０月  Ｆｕｊｉｔｓｕ温水ルームヒーターセットＫＨ−６０ＨＴホットマン
【発明の概要】
【発明が解決しようとする課題】
【０００５】以上に述べた、従来の温風暖房器では、化石燃料を使用する技術であるため、燃料を燃やすときに出る、排気ガスの臭いや、二酸化炭素が発生するなど、世界的にも大きな社会問題となっております。また、排気設備、配管設備などの別途工事が必要で設置場所にも制限があった。
【課題を解決するための手段】
【０００６】本発明は、上記課題を解決するために、高周波電磁誘導加熱器等でお湯を沸かし、このお湯を循環ポンプで熱交換器に移送し循環させ、送風ファンで室内空気と熱交換をする、高周波電磁誘導加熱温水温風暖房器
【発明の効果】
【０００７】本発明は、このような従来の構成が有していた問題を、解決しようとするものであり、排気ガスの臭いや、二酸化炭素が出ることを、なくする事が実現出来る事、また排気設備不要、外気との配管工事不要で設置場所を制限されない。
【図面の簡単な説明】
【０００８】
【図２】
【発明を実施するための形態】
【０００９】本実施例では、１、高周波電磁誘導加熱器、２、温水加熱貯留用金属タンク、３、循環ポンプ、４、不凍液、５、熱交換器、６、温度調整器、７、送風ファン、で構成され、図２は本発明にかかる高周波電磁誘導加熱器から成り立つ温水温風暖房器の説明図。
【実施例】
【００１０】以下、添付図に基づいて、本発明の実施例を具体的に説明する。先ず本実施例に係る高周波電磁誘導加熱式温水温風暖房システム器の全体構成について説明すると、図２、高周波電磁誘導加熱器１、本体下部に配設し温水加熱貯留用金属タンク２、を１の上に設置する、この中に不凍液４を注入する。２から出る配管部途中に循環ポンプ３を接続。次に熱交換器５を設置。熱交換器出口側に、温度調節器６を接続、暖房器後部に送風ファン７から構成している。そして１を通電し、２にて温水を得て、３で不凍役を循環する、５に７から出る送風で室内の空気と熱交換をする。さらに水温が調節できるように６で温度を感知している。
【産業上の利用可能性】
【００１１】以前から県、市営住宅などは暖房機を設置する場合、排煙、配管設備等の設置に制限がありました。従来の化石燃料を使用した、温水温風暖房器の室外器は必ず換気は必要となります。本発明はこのような排煙、配管設備制限がある場所でも、排煙、配管設備と換気の、必要性はないため場所を選ばず簡単に設置が出来る
【符号の説明】
【・・・・】
【図１】
2012112637.tif 000003
【図２】
2012112637.tif 000004
【手続補正書】
【提出日】平成23年1月23日(2011.1.23)
【手続補正１】
【補正対象書類名】明細書
【補正対象項目名】０００８
【補正方法】変更
【補正の内容】
【０００８】
【図１】    高周波電磁誘導加熱式温水温風暖房機、立面図
【図２】    高周波電磁誘導加熱式温水温風暖房機、側面図
【手続補正２】
【補正対象書類名】図面
【補正対象項目名】全図
【補正方法】変更
【補正の内容】
【図１】
2012112637.tif 000005
【図２】
2012112637.tif 000006